(57)【要約】    【課題】      通信システムを考慮してリソースを割り当てることにより、適切なリソースの割り当てを行うとともに、システム全体の伝送効率を向上させること。    【解決手段】  回線情報取得部１０４は、受信信号から回線品質情報を抽出する。リソース割当決定部１０５は、回線情報取得部１０４から入力した回線情報に基づいて各通信端末装置に対してリソースを割り当てる。切替部１０７は、送信データをリソース割当決定部１０５の指示に従って第一通信システム用変調部１０８または第二通信システム用変調部１０９へ出力する。第一通信システム用変調部１０８は、ＯＦＤＭ方式の送信信号を生成する。第二通信システム用変調部１０９は、Ｗ−ＣＤＭＡ方式の送信信号を生成する。  【選択図】      図１
2006074492.tif 000002
【特許請求の範囲】
【請求項１】
通信端末装置との回線品質の情報である回線品質情報を受信する受信手段と、
前記通信端末装置との通信に使用する複数の互いに使用するリソースが異なる通信システムの情報及び前記回線品質情報に基づいて前記通信端末装置に対してリソースを割り当てるリソース割当決定手段と、
前記リソース割当決定手段にて割り当てられたリソースにて前記通信端末装置に送信データを送信する送信手段と、
を具備することを特徴とする基地局装置。
【請求項２】
前記リソース割当決定手段は、自セル内の通信端末装置が使用可能な通信システムのリソースの内、使用可能な通信端末装置の数が少ない通信システムのリソースほど前記通信端末装置に優先的に割り当てることを特徴とする請求項１記載の基地局装置。
【請求項３】
前記リソース割当決定手段は、第一通信システム及び前記第一通信システムとは使用するリソースが異なる第二通信システムの両方のシステムを使用可能な前記通信端末装置のリソースの使用率と、前記第二通信システムのみを使用可能な通信端末装置のリソースの使用率との比がしきい値未満の場合には、前記両方のシステムを使用可能な前記通信端末装置に対して前記第一通信システムのリソースを優先的に割り当てることを特徴とする請求項１または請求項２記載の基地局装置。
【請求項４】
前記リソース割当決定手段は、第一通信システム及び前記第一通信システムとは使用するリソースが異なる第二通信システムの両方のシステムを使用可能な通信中の前記通信端末装置の数と、前記第二通信システムのみを使用可能な通信中の前記通信端末装置の数との比がしきい値未満の場合には、前記両方のシステムを使用可能な前記通信端末装置に対して前記第一通信システムのリソースを優先的に割り当てることを特徴とする請求項１から請求項３のいずれかに記載の基地局装置。
【請求項５】
前記リソース割り当て決定手段は、前記通信端末装置に対してリソースとして周波数帯域を割り当てることを特徴とする請求項１から請求項４のいずれかに記載の基地局装置。
【請求項６】
前記通信端末装置が使用している通信システムに基づいて前記通信端末装置が報告する前記回線品質情報を前記通信端末装置に対して指示する指示手段を具備し、
前記受信手段は、前記通信端末装置に対して前記指示手段により指示した前記回線品質情報を受信することを特徴とする請求項１から請求項５のいずれかに記載の基地局装置。
【請求項７】
前記指示手段は、自セル内の通信端末装置が使用可能な通信システムの内、使用可能な通信端末装置の数が少ない通信システムのリソースの前記回線品質情報ほど優先的に報告するように前記通信端末装置に指示することを特徴とする請求項６記載の基地局装置。
【請求項８】
請求項６または請求項７記載の基地局装置と通信する通信端末装置であって、
前記通信端末装置は、
前記指示手段にて指示された前記回線情報を生成する回線情報生成手段と、
前記回線情報生成手段にて生成された前記回線情報を報告する報告手段と、
を具備することを特徴とする通信端末装置。
【請求項９】
請求項１から請求項７のいずれかに記載の基地局装置と通信する通信端末装置であって、
使用可能な通信端末装置が少ない通信システムのリソースの前記回線品質情報から優先的に生成する回線情報生成手段と、
前記回線情報生成手段にて生成された前記回線品質情報を前記基地局装置に報告する報告手段と、
を具備することを特徴とする通信端末装置。
【請求項１０】
通信端末装置との回線品質の情報である回線品質情報を受信するステップと、
前記通信端末装置との通信に使用する複数の互いに使用するリソースが異なる通信システムの情報及び前記回線品質情報に基づいて前記通信端末装置に対してリソースを割り当てるステップと、
割り当てられたリソースにて前記通信端末装置に送信データを送信するステップと、
を具備することを特徴とするリソース割り当て方法。
【請求項１１】
自セル内の通信端末装置が使用可能な通信システムのリソースの内、使用可能な通信端末装置の数が少ない通信システムのリソースほど前記通信端末装置に優先的に割り当てることを特徴とする請求項１０記載のリソース割り当て方法。
【請求項１２】
第一通信システム及び前記第一通信システムとは使用するリソースが異なる第二通信システムの両方のシステムを使用可能な前記通信端末装置のリソースの使用率と、前記第二通信システムのみを使用可能な通信端末装置のリソースの使用率との比がしきい値未満の場合には、前記両方のシステムを使用可能な前記通信端末装置に対して前記第一通信システムのリソースを優先的に割り当てることを特徴とする請求項１０または請求項１１記載のリソース割り当て方法。
【請求項１３】
第一通信システム及び前記第一通信システムとは使用するリソースが異なる第二通信システムの両方のシステムを使用可能な通信中の前記通信端末装置の数と、前記第二通信システムのみを使用可能な通信中の前記通信端末装置の数との比がしきい値未満の場合には、前記両方のシステムを使用可能な前記通信端末装置に対して前記第一通信システムのリソースを優先的に割り当てることを特徴とする請求項１０から請求項１２のいずれかに記載のリソース割り当て方法。
【請求項１４】
前記通信端末装置に対してリソースとして周波数帯域を割り当てることを特徴とする請求項１０から請求項１３のいずれかに記載のリソース割り当て方法。
【請求項１５】
前記通信端末装置が使用している通信システムに基づいて前記通信端末装置が報告する前記回線品質情報を前記通信端末装置に対して指示するステップを具備し、
前記通信端末装置に対して指示した前記回線品質情報を受信することを特徴とする請求項１０から請求項１４のいずれかに記載のリソース割り当て方法。
【請求項１６】
自セル内の通信端末装置が使用可能な通信システムの内、使用可能な通信端末装置の数が少ない通信システムのリソースの前記回線情報ほど優先的に報告するように前記通信端末装置に指示することを特徴とする請求項１５記載のリソース割り当て方法。
【発明の詳細な説明】
【技術分野】
【０００１】
本発明は、基地局装置、通信端末装置及びリソース割り当て方法に関し、特に複数の異なる通信システムにて通信を行う基地局装置、通信端末装置及びリソース割り当て方法に関する。
【背景技術】
【０００２】
現在、携帯電話に代表される無線通信サービスとして、様々な通信方式が存在する。例えば、第三世代無線通信方式とよばれるＷ−ＣＤＭＡ（Wideband Code Division Multiple Access）やＯＦＤＭ（Orthogonal Frequency Division Multiplexing）が知られている。Ｗ−ＣＤＭＡは、より広い周波数帯域幅の電波を用いるＣＤＭＡ方式である。一般に、帯域幅を広げることにより、高速化及び通信品質の安定化等を図ることができる。ＯＦＤＭは、ある信号区間で互いに周波数が直交する多数（数十〜数百）のディジタル変調波を多重する方式であり、伝送路における伝送特性の劣化の主な要因であるマルチパス妨害に対して強い伝送方式として近年注目されている（例えば、非特許文献１）。
【０００３】
また、近年のサービスの多様化に伴って、より大量のデータを送信することが要求されるようになってきている。大量のデータを送信するためには無線回線の伝送効率を高める必要があるので、基地局装置は端末装置に対して回線品質に応じて通信リソースを割り当てるようになっている。これにより、大量のデータを送信することができるとともに、システム全体の伝送効率を向上させることができる。
【非特許文献１】３ＧＰＰ  ＴＲ２５．８９２
【発明の開示】
【発明が解決しようとする課題】
【０００４】
しかしながら、従来においては、Ｗ−ＣＤＭＡ方式とＯＦＤＭ方式とは使用する周波数帯域が異なるため、基地局装置が端末装置に対してリソースを割り当てるシステムにおいて、基地局装置がＷ−ＣＤＭＡ方式とＯＦＤＭ方式との両方に対応可能な端末装置、及びＷ−ＣＤＭＡ方式にのみ対応可能な端末装置と通信を行うことを考えた場合には、周波数帯域等のリソースの有効利用ができないという問題がある。即ち、ＯＦＤＭとＷ−ＣＤＭＡの双方に対応可能な端末装置は、ＯＦＤＭ用の周波数帯域とＷ−ＣＤＭＡ用の周波数帯域のいずれも使用可能であるが、Ｗ−ＣＤＭＡのみに対応可能な端末装置は、Ｗ−ＣＤＭＡ用の周波数帯域しか使用できない。このような状況で、ＯＦＤＭとＷ−ＣＤＭＡの双方に対応した端末装置がＯＦＤＭ用の周波数帯域が空いているにも関わらずＷ−ＣＤＭＡ用の周波数帯域を使用する場合には、Ｗ−ＣＤＭＡのみにしか対応していない端末装置が使用できる周波数リソースが減り、且つＯＦＤＭＡ用の周波数帯域は余ることになり、リソースの有効利用ができないという問題がある。
【０００５】
本発明はかかる点に鑑みてなされたものであり、通信システムを考慮してリソースを割り当てることにより、適切なリソースの割り当てを行うことができるとともに、システム全体の伝送効率を向上させることができる基地局装置、通信端末装置及びリソース割り当て方法を提供することを目的とする。
【課題を解決するための手段】
【０００６】
本発明の基地局装置は、通信端末装置との回線品質の情報である回線品質情報を受信する受信手段と、前記通信端末装置との通信に使用する複数の互いに使用するリソースが異なる通信システムの情報及び前記回線品質情報に基づいて前記通信端末装置に対してリソースを割り当てるリソース割当決定手段と、前記リソース割当決定手段にて割り当てられたリソースにて前記通信端末装置に送信データを送信する送信手段と、を具備する構成を採る。
【０００７】
この構成によれば、複数の互いに使用するリソースが異なる通信システムの情報及び回線品質情報に基づいて通信端末装置に対してリソースを割り当てるので、通信システム毎のリソースを考慮してリソースを割り当てることができる。これにより、適切なリソースの割り当てを行うことができるとともに、システム全体の伝送効率を向上させることができる。
【０００８】
本発明のリソース割り当て方法は、通信端末装置との回線品質の情報である回線品質情報を受信するステップと、前記通信端末装置との通信に使用する複数の互いに使用するリソースが異なる通信システムの情報及び前記回線品質情報に基づいて前記通信端末装置に対してリソースを割り当てるステップと、割り当てられたリソースにて前記通信端末装置に送信データを送信するステップと、を具備するようにした。
【０００９】
この方法によれば、複数の互いに使用するリソースが異なる通信システムの情報及び回線品質情報に基づいて通信端末装置に対してリソースを割り当てるので、通信システム毎のリソースを考慮してリソースを割り当てることができる。これにより、適切なリソースの割り当てを行うことができるとともに、システム全体の伝送効率を向上させることができる。
【発明の効果】
【００１０】
本発明によれば、通信システムを考慮してリソースを割り当てることにより、適切なリソースの割り当てを行うことができるとともに、システム全体の伝送効率を向上させることができる。
【発明を実施するための最良の形態】
【００１１】
以下、本発明の実施の形態について、図面を参照して詳細に説明する。
【００１２】
（実施の形態１）
図１は、本発明の実施の形態１に係る基地局装置１００の構成を示すブロック図である。
【００１３】
アンテナ１０１は、受信信号を受信して無線部１０２へ出力するとともに、無線部１０２から入力した送信信号を送信する。
【００１４】
無線部１０２は、アンテナ１０１から入力した受信信号を無線周波数からベースバンド周波数にダウンコンバートして復調部１０３へ出力する。また、無線部１０２は、第一通信システム用変調部１０８または第二通信システム用変調部１０９から入力した送信信号をベースバンド周波数から無線周波数にアップコンバートしてアンテナ１０１へ出力する。
【００１５】
復調部１０３は、無線部１０２から入力した受信信号を復調して回線情報取得部１０４へ出力するとともに、上りデータを取得する。
【００１６】
回線情報取得部１０４は、復調部１０３から入力した受信信号から回線情報を取得してリソース割当決定部１０５へ出力する。回線情報には、ＯＦＤＭ方式（第一通信システム）とＷ−ＣＤＭＡ方式（第二通信システム）との両方を切り替えて使用可能な通信端末装置が報告してきた回線情報であるのかの情報、またはＷ−ＣＤＭＡのみ使用可能な通信端末装置が報告してきた回線情報であるのかの情報が含まれている。ここで、回線情報とは、例えばＣＱＩ（Channel Quality Indicator）である。
【００１７】
リソース割当決定部１０５は、回線情報取得部１０４から入力した回線情報に基づいて各通信端末装置に対してリソース（周波数帯域）を割り当てる。そして、リソース割当決定部１０５は、割り当てたリソースに応じたデータ量を出力するようにバッファ１０６に対して指示するとともに、割り当てたリソースの周波数帯域の通信システムにて下りデータが処理されるように切替部１０７に対して切り替えを指示する。なお、リソース割当決定部１０５の詳細については後述する。
【００１８】
バッファ１０６は、下りの送信データを一時的に蓄積し、リソース割当決定部１０５の指示に従って蓄積している送信データを切替部１０７へ出力する。
【００１９】
切替部１０７は、バッファ１０６から入力した送信データをリソース割当決定部１０５の指示に従って第一通信システム用変調部１０８または第二通信システム用変調部１０９へ出力する。
【００２０】
第一通信システム用変調部１０８は、ＯＦＤＭ方式の送信信号の処理を行うものであり、切替部１０７から入力した送信データを変調した後にシリアルデータ形式からパラレルデータ形式に変換し、さらに逆高速フーリエ変換して送信信号を各サブキャリアに配置する周波数分割多重処理することによりＯＦＤＭ信号を生成する。そして、第一通信システム用変調部１０８は、生成したＯＦＤＭ信号にガードインターバルを挿入して無線部１０２へ出力する。
【００２１】
第二通信システム用変調部１０９は、Ｗ−ＣＤＭＡ方式の送信信号の処理を行うものであり、切替部１０７から入力した送信データを変調した後に拡散処理してＷ−ＣＤＭＡ信号を生成し、生成したＷ−ＣＤＭＡ信号を無線部１０２へ出力する。
【００２２】
次に、ＯＦＤＭ方式及びＷ−ＣＤＭＡ方式の両方に対応可能な通信端末装置２００の構成について、図２を用いて説明する。図２は、通信端末装置２００の構成を示すブロック図である。
【００２３】
アンテナ２０１は、受信信号を受信して無線部２０２へ出力するとともに、無線部２０２から入力した送信信号を送信する。
【００２４】
無線部２０２は、アンテナ２０１から入力した受信信号を無線周波数からベースバンド周波数にダウンコンバートして第一通信システム用回線推定部２０３または第二通信システム用回線推定部２０５へ出力する。また、無線部２０２は、変調部２０８から入力した送信信号をベースバンド周波数から無線周波数にアップコンバートしてアンテナ２０１へ出力する。
【００２５】
第一通信システム用回線推定部２０３は、無線部２０２から入力したＯＦＤＭ方式の受信信号より回線変動を推定して、推定した回線変動の情報を回線情報生成部２０７へ出力する。そして、第一通信システム用回線推定部２０３は、回線変動を推定した後に受信信号を第一通信システム用復調部２０４へ出力する。
【００２６】
第一通信システム用復調部２０４は、第一通信システム用回線推定部２０３から入力したＯＦＤＭ方式の受信信号からガードインターバルを除去した後、パラレルデータ形式からシリアルデータ形式に変換して高速フーリエ変換し、さらに第一通信システム用回線推定部２０３で推定した回線変動に基づいて回線補償を行った後に復調して下りデータを得る。
【００２７】
第二通信システム用回線推定部２０５は、無線部２０２から入力したＷ−ＣＤＭＡ方式の受信信号より回線変動を推定して、推定した回線変動の情報を回線情報生成部２０７へ出力する。そして、第二通信システム用回線推定部２０５は、回線変動を推定した後に受信信号を第二通信システム用復調部２０６へ出力する。
【００２８】
第二通信システム用復調部２０６は、第二通信システム用回線推定部２０５から入力したＷ−ＣＤＭＡ方式の受信信号を第二通信システム用回線推定部２０５で推定した回線変動に基づいて回線補償を行い、逆拡散処理した後に復調して下りデータを得る。
【００２９】
回線情報生成部２０７は、第一通信システム用回線推定部２０３または第二通信システム用回線推定部２０５から入力した回線変動の情報より、基地局装置へ報告するための回線情報を生成する。そして、回線情報生成部２０７は、生成した回線情報を変調部２０８へ出力する。具体的には、回線情報生成部２０７は、Ｗ−ＣＤＭＡの周波数帯域の回線情報またはＯＦＤＭの周波数帯域の回線情報を生成する。
【００３０】
変調部２０８は、上りのデータ及び回線情報生成部２０７から入力した回線情報から構成される送信データを変調して無線部２０２へ出力する。
【００３１】
次に、Ｗ−ＣＤＭＡ方式のみに対応可能な通信端末装置３００の構成について、図３を用いて説明する。図３は、通信端末装置３００の構成を示すブロック図である。
【００３２】
アンテナ３０１は、Ｗ−ＣＤＭＡ信号である受信信号を受信して無線部３０２へ出力するとともに、無線部３０２から入力した送信信号を送信する。
【００３３】
無線部３０２は、アンテナ３０１から入力した受信信号を無線周波数からベースバンド周波数にダウンコンバートして回線推定部３０３へ出力する。また、無線部３０２は、変調部３０６から入力した送信信号をベースバンド周波数から無線周波数にアップコンバートしてアンテナ３０１へ出力する。
【００３４】
回線推定部３０３は、無線部３０２から入力したＷ−ＣＤＭＡ方式の受信信号より回線変動を推定して、推定した回線変動の情報を回線情報生成部３０５へ出力する。そして、回線推定部３０３は、回線変動を推定した後に受信信号を復調部３０４へ出力する。
【００３５】
復調部３０４は、回線推定部３０３から入力したＷ−ＣＤＭＡ方式の受信信号に対して回線推定部３０３で推定した回線変動に基づいて回線補償を行い、逆拡散処理した後に復調して下りデータを得る。
【００３６】
回線情報生成部３０５は、回線推定部３０３から入力した回線変動の情報より基地局装置へ報告するための回線情報を生成する。そして、回線情報生成部３０５は、生成した回線情報を変調部３０６へ出力する。
【００３７】
変調部３０６は、上りのデータ及び回線情報生成部３０５から入力した回線情報から構成される送信データを変調して無線部３０２へ出力する。
【００３８】
次に、リソース割当決定部１０５の詳細な構成ついて、図４を用いて説明する。図４は、リソース割当決定部１０５の構成を示すブロック図である。
【００３９】
通信システム判定部４０１は、回線情報取得部１０４から入力した回線情報より、ＯＦＤＭ方式とＷ−ＣＤＭＡ方式の両方を使用可能な通信端末装置が自セル内に存在しているか否か、及びＷ−ＣＤＭＡ方式のみを使用可能な通信端末装置が自セル内に存在しているか否かを判定する。そして、通信システム判定部４０１は、判定結果をリソース割当部４０３へ出力する。なお、通信システム判定部４０１は、回線情報から判定する場合に限らず、制御情報にて予め通信端末装置から通知されるようにしても良い。
【００４０】
リソース管理部４０２は、使用可能なリソースの情報であるリソース情報及びリソース割当部４０３から入力した使用リソースの情報を用いてリソースの管理を行う。そして、リソース管理部４０２は、所定のタイミングにて管理しているリソースの管理情報をリソース割当部４０３へ出力する。
【００４１】
リソース割当部４０３は、回線情報取得部１０４から入力した回線情報、通信システム判定部４０１から入力した判定結果、及びリソース管理部４０２から入力したリソースの管理情報より、通信端末装置に対してリソースの割り当てを行う。そして、リソース割当部４０３は、割り当てたリソースに基づいて、バッファ１０６及び切替部１０７へ指示する。例えば、セル内にＯＦＤＭ方式とＷ−ＣＤＭＡ方式の両方の方式を使用可能な通信端末装置とＷ−ＣＤＭＡ方式のみを使用可能な通信端末装置が存在する場合で、かつ両方の方式を使用可能な通信端末装置の数がＷ−ＣＤＭＡ方式のみを使用可能な通信端末装置の数よりも少ない場合、リソース割当部４０３は、リソース管理部４０２にて管理されている最大割り当てリソースの範囲内にて、自セル内の通信端末装置が使用可能なリソースの内、ＯＦＤＭ方式とＷ−ＣＤＭＡ方式の両方を使用可能な通信端末装置に対しては、ＯＦＤＭ方式のリソースから優先的に通信端末装置に割り当てる。
【００４２】
次に、リソース割り当て方法について、図５を用いて説明する。図５は、リソース割り当て方法を示すフロー図である。なお、説明の便宜上、ＯＦＤＭ方式及びＷ−ＣＤＭＡ方式の両方を使用可能な通信端末装置２００をＡ端末とし、Ｗ−ＣＤＭＡ方式のみを使用可能な通信端末装置３００をＢ端末として説明する。
【００４３】
最初に、基地局装置１００は、リソース割当決定部１０５にて自セル内にＡ端末とＢ端末の両方が存在するか否かを判定する（ステップＳＴ５０１）。自セル内にＡ端末とＢ端末の両方が存在する場合には、リソース割当決定部１０５は、Ａ端末にはＯＦＤＭのリソースを割り当てるとともに、Ｂ端末にはＷ−ＣＤＭＡのリソースを割り当てる（ステップＳＴ５０２）。
【００４４】
ステップＳＴ５０１において、自セル内にＡ端末とＢ端末の両方が存在しない場合には、リソース割当決定部１０５は、自セル内にＡ端末のみが存在するか否かを判定する（ステップＳＴ５０３）。自セル内にＡ端末のみが存在する場合には、リソース割当決定部１０５は、Ｗ−ＣＤＭＡのリソースとＯＦＤＭのリソースの両方のリソースの中から最適なリソース、またはＷ−ＣＤＭＡのリソースとＯＦＤＭのリソースの両方をＡ端末に対して割り当てる（ステップＳＴ５０４）。
【００４５】
一方、ステップＳＴ５０３において、自セル内にＡ端末のみが存在しない場合、即ち自セル内にＢ端末のみが存在する場合には、リソース割当決定部１０５は、Ｗ−ＣＤＭＡのリソースを端末Ｂに対して割り当てる（ステップＳＴ５０５）。
【００４６】
このように、本実施の形態１によれば、自セル内に存在する通信端末装置が使用可能な通信システムを考慮してリソースの割り当てを行うので、適切なリソースの割り当てを行うことができるとともに、システム全体の伝送効率を向上させることができる。また、本実施の形態１によれば、Ｗ−ＣＤＭＡ方式とＯＦＤＭ方式の両方を使用できる通信端末装置がＷ−ＣＤＭＡ方式のみを使用できる通信端末装置よりも普及していない場合には、Ｗ−ＣＤＭＡのみを使用できる通信端末装置の数の方が、Ｗ−ＣＤＭＡ方式とＯＦＤＭ方式の両方を使用できる通信端末装置の数よりも多い可能性があるので、通信端末装置の新旧入れ替え等の最中においても適切なリソースの割り当てを行うことができる。
【００４７】
なお、本実施の形態１において、Ｗ−ＣＤＭＡ方式とＯＦＤＭ方式の両方の方式を使用可能な通信端末装置の数が、Ｗ−ＣＤＭＡ方式のみを使用可能な通信端末装置の数よりも少ない場合に、両方の方式を使用可能な通信端末装置に対してはＯＦＤＭ方式のリソースを優先的に割り当てることにしたが、これに限らず、両方の方式を使用可能な通信端末装置の数とＷ−ＣＤＭＡ方式のみを使用可能な通信端末装置の数に関わりなく、両方の方式を使用可能な通信端末装置に対しては自動的にＯＦＤＭ方式のリソースから優先的に割り当てるようにしても良い。
【００４８】
（実施の形態２）
図６は、本発明の実施の形態２に係る基地局装置６００の構成を示すブロック図である。
【００４９】
本実施の形態２に係る基地局装置６００は、図１に示す実施の形態１に係る基地局装置１００において、図６に示すように、制御情報生成部６０１を追加する。なお、図６においては、図１と同一構成である部分には同一の符号を付してその説明は省略する。
【００５０】
リソース割当決定部１０５は、回線情報取得部１０４から入力した回線情報に基づいて各通信端末装置に対してリソースを割り当てる。そして、リソース割当決定部１０５は、割り当てたリソースに応じたデータ量を出力するようにバッファ１０６に対して指示するとともに、割り当てたリソースの周波数帯域の通信システムにて処理されるように切替部１０７に対して切り替えを指示する。さらに、リソース割当決定部１０５は、回線情報より判定したＯＦＤＭ方式とＷ−ＣＤＭＡ方式の両方を使用可能な通信端末装置の情報、またはＷ−ＣＤＭＡのみを使用可能な通信端末装置の情報を制御情報生成部６０１へ出力する。
【００５１】
制御情報生成部６０１は、リソース割当決定部１０５から入力した通信端末装置の情報に基づいて、通信端末装置が報告する回線情報を各通信端末装置に対して指示する。具体的には、制御情報生成部６０１は、ＯＦＤＭ方式とＷ−ＣＤＭＡ方式の両方を使用可能な通信端末装置に対して、Ｗ−ＣＤＭＡ方式のリソースまたはＯＦＤＭ方式のリソースのいずれか一方のリソースについての回線情報、またはＷ−ＣＤＭＡ方式のリソース及びＯＦＤＭ方式のリソースの両方のリソースについての回線情報を報告するように指示する制御情報を生成する。また。制御情報生成部６０１は、Ｗ−ＣＤＭＡ方式のみに対応可能な通信端末装置に対して、Ｗ−ＣＤＭＡ方式のリソースについての回線情報を報告するように指示する制御情報を生成する。この時、制御情報生成部６０１は、ＯＦＤＭ方式とＷ−ＣＤＭＡ方式の両方を使用可能な通信端末装置に対しては、ＯＦＤＭのリソースの回線情報を優先的に送信するように指示する制御情報を生成する。そして、制御情報生成部６０１は、生成した制御情報を第二通信システム用変調部１０９へ出力する。
【００５２】
第二通信システム用変調部１０９は、Ｗ−ＣＤＭＡ方式の送信信号の処理を行うものであり、切替部１０７から入力した送信データを変調した後に拡散処理してＷ−ＣＤＭＡ信号を生成し、生成したＷ−ＣＤＭＡ信号を無線部１０２へ出力する。また、第二通信システム用変調部１０９は、制御情報生成部６０１から入力した制御情報をＷ−ＣＤＭＡ方式の送信信号に含めて無線部１０２へ出力する。
【００５３】
次に、ＯＦＤＭ方式及びＷ−ＣＤＭＡ方式の両方を使用可能な通信端末装置７００の構成について、図７を用いて説明する。図７は、通信端末装置７００の構成を示すブロック図である。本実施の形態２に係る通信端末装置７００は、図２に示す実施の形態１に係る通信端末装置２００において、図７に示すように、制御情報抽出部７０１を追加する。なお、図７においては、図２と同一構成である部分には同一の符号を付してその説明は省略する。
【００５４】
第二通信システム用復調部２０６は、第二通信システム用回線推定部２０５から入力したＷ−ＣＤＭＡ方式の受信信号を回線補償及び逆拡散処理した後に復調して制御情報抽出部７０１へ出力するとともに、下りデータを得る。
【００５５】
制御情報抽出部７０１は、第二通信システム用復調部２０６から入力した受信データから制御情報を抽出して回線情報生成部２０７へ出力する。
【００５６】
回線情報生成部２０７は、制御情報抽出部７０１から入力した制御情報に基づいて、ＯＦＤＭまたはＷ−ＣＤＭＡのいずれか一方の周波数帯域の回線情報、またはＯＦＤＭ及びＷ−ＣＤＭＡの両方の周波数帯域の回線情報を生成する。第一通信システム用回線推定部２０３から入力した回線変動の情報よりＯＦＤＭの周波数帯域の回線情報、または第二通信システム用回線推定部２０５から入力した回線変動の情報よりＷ−ＣＤＭＡの周波数帯域の回線情報を生成する。そして、回線情報生成部２０７は、生成した回線情報を変調部２０８へ出力する。
【００５７】
変調部２０８は、上りのデータ及び回線情報生成部２０７から入力した回線情報から構成される送信データを変調して無線部２０２へ出力する。
【００５８】
次に、Ｗ−ＣＤＭＡ方式のみを使用可能な通信端末装置８００の構成について、図８を用いて説明する。図８は、通信端末装置８００の構成を示すブロック図である。本実施の形態２に係る通信端末装置８００は、図３に示す実施の形態１に係る通信端末装置３００において、図８に示すように、制御情報抽出部８０１を追加する。なお、図８においては、図３と同一構成である部分には同一の符号を付してその説明は省略する。
【００５９】
復調部３０４は、回線推定部３０３から入力したＷ−ＣＤＭＡ方式の受信信号に対して逆拡散処理した後に復調して制御情報抽出部８０１へ出力するとともに、下りデータを得る。
【００６０】
制御情報抽出部８０１は、復調部３０４から入力した受信データから制御情報を抽出して回線情報生成部３０５へ出力する。
【００６１】
回線情報生成部３０５は、制御情報抽出部８０１から制御情報が入力した場合には、回線推定部３０３から入力した回線変動の情報より基地局装置へ報告するための回線情報を生成する。そして、回線情報生成部３０５は、生成した回線情報を変調部３０６へ出力する。
【００６２】
次に、リソース割り当て方法について、図９を用いて説明する。図９は、リソース割り当て方法を示すフロー図である。なお、説明の便宜上、ＯＦＤＭ方式及びＷ−ＣＤＭＡ方式の両方を使用可能な通信端末装置７００をＡ端末とし、Ｗ−ＣＤＭＡ方式のみを使用可能な通信端末装置８００をＢ端末として説明する。
【００６３】
最初に、基地局装置６００は、リソース割当決定部１０５にて自セル内にＡ端末とＢ端末の両方が存在するか否かを判定する（ステップＳＴ９０１）。自セル内にＡ端末とＢ端末の両方が存在する場合には、基地局装置６００は、制御情報生成部６０１にて、Ａ端末に対してＯＦＤＭの回線情報を報告するように指示する制御情報を生成してＡ端末に対して制御情報を送信することにより、Ａ端末に対してＯＦＤＭの回線情報を報告することを指示する（ステップＳＴ９０２）。そして、制御情報を受信したＡ端末は、制御情報抽出部７０１にて制御情報を抽出し、回線情報生成部２０７にてＯＦＤＭの回線情報を生成する。そして、Ａ端末は生成したＯＦＤＭの回線情報を報告する（ステップＳＴ９０３）。さらに、基地局装置６００は、制御情報生成部６０１にて、Ｂ端末に対してＷ−ＣＤＭＡの回線情報を報告するように指示する制御情報を生成してＢ端末に対して制御情報を送信することにより、Ｂ端末に対してＷ−ＣＤＭＡの回線情報を報告することを指示する（ステップＳＴ９０４）。そして、制御情報を受信したＢ端末は、制御情報抽出部８０１にて制御情報を抽出し、回線情報生成部３０５にてＷ−ＣＤＭＡの回線情報を生成する。そして、Ｂ端末は生成したＷ−ＣＤＭＡの回線情報を報告する（ステップＳＴ９０５）。なお、ステップＳＴ９０３とステップＳＴ９０４の順序は逆でも構わない。即ち、Ａ端末とＢ端末にそれぞれ回線情報の報告を指示し、その後、Ａ端末及びＢ端末がそれぞれ指示に従って報告するようにしても良い。この場合、回線の割り当てまでに、回線情報報告の指示と回線情報の報告をＡ端末とＢ端末とで連続した一つの処理にて行うことができるので、制御遅延をなくすることができる。
【００６４】
一方、ステップＳＴ９０１において、自セル内にＡ端末とＢ端末の両方が存在しない場合には、リソース割当決定部１０５は、自セル内にＡ端末のみが存在するか否かを判定する（ステップＳＴ９０６）。自セル内にＡ端末のみが存在する場合には、基地局装置６００は、制御情報生成部６０１にて、Ａ端末に対してＷ−ＣＤＭＡとＯＦＤＭの両方の回線情報の報告を指示する制御情報を生成してＡ端末に対して制御情報を送信することにより、Ａ端末に対してＷ−ＣＤＭＡ及びＯＦＤＭの回線情報を報告することを指示する（ステップＳＴ９０７）。次に、制御情報を受信したＡ端末は、制御情報抽出部７０１にて制御情報を抽出し、回線情報生成部２０７にてＷ−ＣＤＭＡの回線情報及びＯＦＤＭの回線情報を生成する。そして、Ａ端末は生成した回線情報を報告する（ステップＳＴ９０８）。
【００６５】
ステップＳＴ９０６において、自セル内にＡ端末のみが存在しない場合、即ち自セル内にＢ端末のみが存在する場合には、基地局装置６００は、制御情報生成部６０１にて、Ｂ端末に対してＷ−ＣＤＭＡの回線情報の報告を指示する制御情報を生成してＢ端末に対して制御情報を送信することにより、Ｂ端末に対してＷ−ＣＤＭＡの回線情報を報告することを指示する（ステップＳＴ９０９）。次に、制御情報を受信したＢ端末は、制御情報抽出部８０１にて制御情報を抽出し、回線情報生成部３０５にてＷ−ＣＤＭＡの回線情報を生成する。そして、Ｂ端末は生成した回線情報を報告する（ステップＳＴ９１０）。
【００６６】
そして、Ａ端末またはＢ端末から回線情報を受け取った基地局装置６００は、リソース割当決定部１０５にてリソースを割り当てる（ステップＳＴ９１１）具体的には、リソース割当決定部１０５は、ステップＳＴ９０３によりＡ端末から回線情報を受け取った場合には、Ａ端末にはＯＦＤＭのリソースを割り当てるとともにＢ端末に対してはＷ−ＣＤＭＡのリソースを割り当てる。また、リソース割当決定部１０５は、ステップＳＴ９０８によりＡ端末から回線情報を受け取った場合には、Ａ端末にはＷ−ＣＤＭＡ及びＯＦＤＭのリソースの内の最適なリソース、またはＷ−ＣＤＭＡのリソースとＯＦＤＭのリソースの両方を割り当てる。また、リソース割当決定部１０５は、ステップＳＴ９１０によりＢ端末から回線情報を受け取った場合には、Ｂ端末にはＷ−ＣＤＭＡのリソースを割り当てる。
【００６７】
このように、本実施の形態２によれば、上記実施の形態１の効果に加えて、通信端末装置は、基地局装置から指示されたリソースの回線情報を報告するので、回線情報を報告するための上り回線のリソースを節約することができる。また、本実施の形態２によれば、Ｗ−ＣＤＭＡ方式のみを使用可能な通信端末装置が自セル内に存在しない場合には、ＯＦＤＭ方式及びＷ−ＣＤＭＡ方式の両方を使用可能な通信端末装置に対して、Ｗ−ＣＤＭＡ及びＯＦＤＭの両方のリソースを割り当てることが可能であるので、システム全体のリソースを有効に利用することができる。
【００６８】
なお、本実施の形態２において、Ｗ−ＣＤＭＡ方式のみを使用可能な通信端末装置は、制御信号により指示された回線情報を報告することにしたが、これに限らず、Ｗ−ＣＤＭＡ方式のみを使用可能な通信端末装置は、制御信号により指示されることなく常に回線情報を報告するようにしても良い。
【００６９】
（実施の形態３）
図１０は、本発明の実施の形態３に係る通信端末装置１０００の構成を示すブロック図である。なお、通信端末装置１０００は、第一通信システム及び第二通信システムの両方に対応可能な通信端末装置である。
【００７０】
本実施の形態３に係る通信端末装置１０００は、図２に示す実施の形態１に係る通信端末装置２００において、図１０に示すように、制御情報受信判定部１００１及び制御情報抽出部１００２を追加し、回線情報生成部２０７の代わりに回線情報生成部１００３を有する。なお、図１０においては、図２と同一構成である部分には同一の符号を付してその説明は省略する。
【００７１】
第二通信システム用復調部２０６は、第二通信システム用回線推定部２０５から入力したＷ−ＣＤＭＡ方式の受信信号を逆拡散処理した後に復調して、制御情報受信判定部１００１及び制御情報抽出部１００２へ出力するとともに下りデータを得る。
【００７２】
制御情報受信判定部１００１は、第二通信システム用復調部２０６から入力した受信データに回線情報を生成するための制御情報が含まれているか否かを判定する。そして、制御情報受信判定部１００１は、制御情報が含まれている場合には、制御情報抽出部１００２に対して制御情報を抽出するように指示し、制御情報が含まれていない場合には、制御情報が含まれていない旨の情報を回線情報生成部１００３へ出力する。
【００７３】
制御情報抽出部１００２は、制御情報受信判定部１００１から制御情報を抽出するように指示された場合には、第二通信システム用復調部２０６から入力した受信データから制御情報を抽出して回線情報生成部１００３へ出力する。
【００７４】
回線情報生成部１００３は、制御情報受信判定部１００１から制御情報が含まれていない旨の情報が入力した場合には、第一通信システム用回線推定部２０３から入力した回線変動の情報よりＯＦＤＭのリソースの回線情報を優先的に生成し、必要に応じてＷ−ＣＤＭＡのリソースの回線情報を生成する。そして、回線情報生成部１００３は、生成した回線情報を変調部２０８へ出力する。また、回線情報生成部１００３は、制御情報抽出部１００２から制御情報が入力した場合には、入力した制御情報に基づいて、第一通信システム用回線推定部２０３から入力した回線変動の情報よりＯＦＤＭのリソースの回線情報を生成する場合、第一通信システム用回線推定部２０３から入力した回線変動の情報よりＷ−ＣＤＭＡのリソースの回線情報を生成する場合、または第二通信システム用回線推定部２０５から入力した回線変動の情報よりＷ−ＣＤＭＡのリソースの回線情報を生成する場合を選択して回線情報を生成する。そして、回線情報生成部１００３は、生成した回線情報を変調部２０８へ出力する。
【００７５】
変調部２０８は、上りのデータ及び回線情報生成部１００３から入力した回線情報から構成される送信データを変調して無線部２０２へ出力する。なお、基地局装置の構成は図６と同一構成であり、Ｗ−ＣＤＭＡ方式のみを使用可能な通信端末装置の構成は図８と同一構成であるので、その説明は省略する。
【００７６】
次に、リソース割り当て方法について、図１１を用いて説明する。図１１は、リソース割り当て方法を示すフロー図である。なお、説明の便宜上、ＯＦＤＭ方式及びＷ−ＣＤＭＡ方式の両方を使用可能な通信端末装置１０００をＡ端末とし、Ｗ−ＣＤＭＡ方式のみを使用可能な通信端末装置をＢ端末として説明する。
【００７７】
最初に、Ａ端末は、制御情報受信判定部１００１にて、制御情報を受信したか否かを判定する（ステップＳＴ１１０１）。通信端末装置１０００の電源投入時または下り回線の伝送要求開始時等により制御情報を受信していない場合には、端末Ａは、回線情報生成部１００３にてＯＦＤＭのリソースの回線情報を生成して、生成した回線情報を報告する。また、端末Ｂは、Ｗ−ＣＤＭＡのリソースの回線情報を生成して、生成した回線情報を報告する（ステップＳＴ１１０２）。制御情報を受信した場合には、端末Ａは、回線情報生成部１００３にて、基地局装置より指示されたＷ−ＣＤＭＡのリソースの回線情報またはＯＦＤＭのリソースの回線情報を生成して、生成した回線情報を報告する。また、端末Ｂは、Ｗ−ＣＤＭＡのリソースの回線情報を生成して、生成した回線情報を報告する（ステップＳＴ１１０３）。
【００７８】
そして、基地局装置は、ステップＳＴ１１０２により回線情報の報告を受け取った場合には、Ａ端末に対してはＯＦＤＭのリソースを割り当て、Ｂ端末に対してはＷ−ＣＤＭＡのリソースを割り当てる（ステップＳＴ１１０４）。
【００７９】
このように、本実施の形態３によれば、上記実施の形態１の効果に加えて、ＯＦＤＭ方式とＷ−ＣＤＭＡ方式の両方を使用可能な通信端末装置に対してはＯＦＤＭのリソースを優先的に割り当てられるので、適切なリソースの割り当てを行うことができるとともに、システム全体の伝送効率を向上させることができる。また、本実施の形態３によれば、ＯＦＤＭ方式とＷ−ＣＤＭＡ方式の両方を使用可能な通信端末装置に対してＯＦＤＭのリソースを優先的に割り当てる場合には、制御情報を送る必要がないので、下り回線の制御情報を送るためのリソースを節約することができる。また、本実施の形態３によれば、通信端末装置は、基地局装置から指示されない場合にはＯＦＤＭのリソースの回線情報を報告し、基地局装置から指示された場合には指示されたリソースの回線情報を報告するので、回線情報を報告するための上り回線のリソースを節約することができる。
【００８０】
なお、本実施の形態３において、通信端末装置が報告する回線情報を制御情報により基地局装置が指示することとしたが、これに限らず、通信端末装置が基地局装置の指示を受けずに、あらかじめＯＦＤＭのリソースの回線情報を報告した後にＷ−ＣＤＭＡのリソースの回線情報を報告するように決めておいて、決めておいた順番により回線情報を報告するようにしても良い。また、本実施の形態３において、制御情報受信の有無を判定することとしたが、これに限らず、制御情報を常に受信するとともに報告する回線情報の指示が制御情報に含まれているか否かを判定するようにしても良い。
【００８１】
（実施の形態４）
図１２は、本発明の実施の形態４に係る基地局装置１２００の構成を示すブロック図である。
【００８２】
本実施の形態４に係る基地局装置１２００は、図１に示す実施の形態１に係る基地局装置１００において、図１２に示すように、使用率判定部１２０１を追加する。なお、図１２においては、図１と同一構成である部分には同一の符号を付してその説明は省略する。
【００８３】
使用率判定部１２０１は、リソース割当決定部１０５から入力した、ＯＦＤＭ方式のリソースの情報及びＷ−ＣＤＭＡ方式のリソースの情報より、ＯＦＤＭ方式のリソースの使用率、及びＷ−ＣＤＭＡ方式のリソースの使用率を算出する。そして、使用率判定部１２０１は、ＯＦＤＭ方式のリソースの使用率とＷ−ＣＤＭＡ方式のリソースの使用率との比を求めて、求めた使用率の比としきい値との比較結果をリソース割当決定部１０５へ出力する。
【００８４】
リソース割当決定部１０５は、使用率判定部１２０１から入力した判定結果より、使用率の比がしきい値未満である場合には、回線情報取得部１０４から入力した回線情報に基づいて、ＯＦＤＭ方式とＷ−ＣＤＭＡ方式の両方を使用可能な通信端末装置に対して、ＯＦＤＭのリソースを優先的に割り当てる。また、リソース割当決定部１０５は、使用率判定部１２０１から入力した判定結果より、使用率の比がしきい値以上である場合には、回線情報取得部１０４から入力した回線情報に基づいて、各通信端末装置に対してリソースを割り当てる。そして、リソース割当決定部１０５は、割り当てたリソースに応じたデータ量を出力するようにバッファ１０６に対して指示するとともに、割り当てたリソースの周波数帯域の通信システムにて処理されるように切替部１０７に対して切り替えを指示する。
【００８５】
次に、リソース割り当て方法について、図１３を用いて説明する。図１３は、リソース割り当て方法を示すフロー図である。なお、説明の便宜上、ＯＦＤＭ方式及びＷ−ＣＤＭＡ方式の両方を使用可能な通信端末装置をＡ端末とし、Ｗ−ＣＤＭＡ方式のみを使用可能な通信端末装置をＢ端末として説明する。
【００８６】
最初に、基地局装置１２００は、使用率判定部１２０１にて使用率を算出する（ステップＳＴ１３０１）。次に、使用率判定部１２０１は、ＯＦＤＭ方式のリソースの使用率とＷ−ＣＤＭＡ方式のリソースの使用率との比（ＯＦＤＭ方式のリソースの使用率／Ｗ−ＣＤＭＡ方式のリソースの使用率）がしきい値α未満であるか否かを判定する（ステップＳＴ１３０２）。
【００８７】
使用率の比がしきい値α未満の場合には、リソース割当決定部１０５は、Ａ端末に対してはＯＦＤＭのリソースを優先的に割り当て、Ｂ端末に対してはＷ−ＣＤＭＡのリソースを割り当てる（ステップＳＴ１３０３）。一方、使用率の比がしきい値α以上の場合には、リソース割当決定部１０５は、Ａ端末及びＢ端末に対して回線情報に基づいてＷ−ＣＤＭＡのリソースまたはＯＦＤＭのリソースを適宜割り当てる（ステップＳＴ１３０４）。
【００８８】
このように、本実施の形態４によれば、上記実施の形態１の効果に加えて、使用率に応じてリソースを割り当てるので、Ｗ−ＣＤＭＡのリソースが少なくなってきた場合には第一通信システムに対応可能な通信端末装置に対してはＯＦＤＭのリソースを割り当てるので、ＯＦＤＭのリソースを余らせることなく効率良くリソースの割り当てをすることができる。
【００８９】
（実施の形態５）
図１４は、本発明の実施の形態５に係る基地局装置１４００の構成を示すブロック図である。
【００９０】
本実施の形態５に係る基地局装置１４００は、図１に示す実施の形態１に係る基地局装置１００において、図１４に示すように、使用数判定部１４０１を追加する。なお、図１４においては、図１と同一構成である部分には同一の符号を付してその説明は省略する。
【００９１】
使用数判定部１４０１は、リソース割当決定部１０５から入力した、ＯＦＤＭ方式とＷ−ＣＤＭＡ方式の両方を使用可能な通信端末装置の数の情報及びＷ−ＣＤＭＡ方式のみを使用可能な通信端末装置の数の情報より、ＯＦＤＭ方式とＷ−ＣＤＭＡ方式の両方を使用可能な通信端末装置の数とＷ−ＣＤＭＡ方式のみを使用可能な通信端末装置の数の比を算出する。そして、使用数判定部１４０１は、算出した比としきい値との比較結果をリソース割当決定部１０５へ出力する。
【００９２】
リソース割当決定部１０５は、使用数判定部１４０１から入力した判定結果より、ＯＦＤＭ方式とＷ−ＣＤＭＡ方式の両方を使用可能な通信端末装置の数とＷ−ＣＤＭＡ方式のみを使用可能な通信端末装置の数の比がしきい値未満である場合には、回線情報取得部１０４から入力した回線情報に基づいて、ＯＦＤＭ方式とＷ−ＣＤＭＡ方式の両方を使用可能な通信端末装置に対して、ＯＦＤＭのリソースを優先的に割り当てる。また、リソース割当決定部１０５は、使用数判定部１４０１から入力した判定結果より、ＯＦＤＭ方式とＷ−ＣＤＭＡ方式の両方を使用可能な通信端末装置の数とＷ−ＣＤＭＡ方式のみを使用可能な通信端末装置の数の比がしきい値以上である場合には、回線情報取得部１０４から入力した回線情報に基づいて、各通信端末装置に対してリソースを割り当てる。そして、リソース割当決定部１０５は、割り当てたリソースに応じたデータ量を出力するようにバッファ１０６に対して指示するとともに、割り当てたリソースの周波数帯域の通信システムにて処理されるように切替部１０７に対して切り替えを指示する。
【００９３】
次に、リソース割り当て方法について、図１５を用いて説明する。図１５は、リソース割り当て方法を示すフロー図である。なお、説明の便宜上、ＯＦＤＭ方式及びＷ−ＣＤＭＡ方式の両方を使用可能な通信端末装置をＡ端末とし、Ｗ−ＣＤＭＡ方式のみを使用可能な通信端末装置をＢ端末として説明する。
【００９４】
最初に、基地局装置１４００は、使用数判定部１４０１にて、ＯＦＤＭ方式とＷ−ＣＤＭＡ方式の両方を使用可能な通信端末装置の数とＷ−ＣＤＭＡ方式のみを使用可能な通信端末装置の数を求める（ステップＳＴ１５０１）。そして、使用数判定部１４０１は、ＯＦＤＭ方式とＷ−ＣＤＭＡ方式の両方を使用可能な通信端末装置の数とＷ−ＣＤＭＡ方式のみを使用可能な通信端末装置の数の比（Ａ端末数／Ｂ端末数）を算出する。次に、使用数判定部１４０１は、ＯＦＤＭ方式とＷ−ＣＤＭＡ方式の両方を使用可能な通信端末装置の数とＷ−ＣＤＭＡ方式のみを使用可能な通信端末装置の数の比がしきい値β未満であるか否かを判定する（ステップＳＴ１５０２）。
【００９５】
ＯＦＤＭ方式とＷ−ＣＤＭＡ方式の両方を使用可能な通信端末装置の数とＷ−ＣＤＭＡ方式のみを使用可能な通信端末装置の数の比がしきい値β未満の場合には、リソース割当決定部１０５は、Ａ端末に対してはＯＦＤＭのリソースを優先的に割り当て、Ｂ端末に対してはＷ−ＣＤＭＡのリソースを割り当てる（ステップＳＴ１５０３）。一方、ＯＦＤＭ方式とＷ−ＣＤＭＡ方式の両方を使用可能な通信端末装置の数とＷ−ＣＤＭＡ方式のみを使用可能な通信端末装置の数の比がしきい値β以上の場合には、リソース割当決定部１０５は、Ａ端末及びＢ端末に対して回線情報に基づいてＷ−ＣＤＭＡのリソースまたはＯＦＤＭのリソースを適宜割り当てる（ステップＳＴ１５０４）。
【００９６】
このように、本実施の形態５によれば、上記実施の形態１の効果に加えて、ＯＦＤＭ方式とＷ−ＣＤＭＡ方式の両方を使用可能な通信端末装置の数とＷ−ＣＤＭＡ方式のみを使用可能な通信端末装置の数の割合に応じてリソースを割り当てるので、Ｗ−ＣＤＭＡのリソースが少なくなってきた場合には第一通信システムに対応可能な通信端末装置に対してはＯＦＤＭのリソースを割り当てるので、ＯＦＤＭのリソースを余らせることなく効率良くリソースの割り当てをすることができる。
【００９７】
なお、上記実施の形態１〜実施の形態５において、ＯＦＤＭ方式とＷ−ＣＤＭＡ方式を用いることとしたが、これに限らず、Ｗ−ＣＤＭＡとＭＣ−ＣＤＭＡ（マルチキャリアＣＤＭＡ方式）またはＴＤＤ(Time Division Duplex)方式のＣＤＭＡとＦＤＤ(Frequency Division Duplex)方式のＣＤＭＡ等の任意の通信システムを組み合わせることができる。また、上記実施の形態１〜実施の形態５において、２種類の通信システムを使用可能な通信端末装置に対してリソースを割り当てることとしたが、これに限らず、３種類以上の通信システムを使用可能な通信端末装置に対してリソースを割り当てるようにしても良い。また、上記実施の形態１〜実施の形態５において、リソースとして周波数帯域を割り当てることとしたが、これに限らず、周波数帯域以外のリソースを割り当てる場合にも適用できる。
【産業上の利用可能性】
【００９８】
本発明にかかる基地局装置、通信端末装置及びリソース割り当て方法は、通信システムを考慮してリソースを割り当てることにより、適切なリソースの割り当てを行うことができるとともに、システム全体の伝送効率を向上させる効果を有し、リソースを割り当てるのに有用である。
【図面の簡単な説明】
【００９９】
【図１】本発明の実施の形態１に係る基地局装置の構成を示すブロック図
【図２】本発明の実施の形態１に係る通信端末装置の構成を示すブロック図
【図３】本発明の実施の形態１に係る通信端末装置の構成を示すブロック図
【図４】本発明の実施の形態１に係るリソース割当決定部の構成を示すブロック図
【図５】本発明の実施の形態１に係るリソース割り当て方法を示すフロー図
【図６】本発明の実施の形態２に係る基地局装置の構成を示すブロック図
【図７】本発明の実施の形態２に係る通信端末装置の構成を示すブロック図
【図８】本発明の実施の形態２に係る通信端末装置の構成を示すブロック図
【図９】本発明の実施の形態２に係るリソース割り当て方法を示すフロー図
【図１０】本発明の実施の形態３に係る通信端末装置の構成を示すブロック図
【図１１】本発明の実施の形態３に係るリソース割り当て方法を示すフロー図
【図１２】本発明の実施の形態４に係る基地局装置の構成を示すブロック図
【図１３】本発明の実施の形態４に係るリソース割り当て方法を示すフロー図
【図１４】本発明の実施の形態５に係る基地局装置の構成を示すブロック図
【図１５】本発明の実施の形態５に係るリソース割り当て方法を示すフロー図
【符号の説明】
【０１００】
１００  基地局装置
１０１  アンテナ
１０２  無線部
１０３  復調部
１０４  回線情報取得部
１０５  リソース割当決定部
１０６  バッファ
１０７  切替部
１０８  第一通信システム用変調部
１０９  第二通信システム用変調部
【図１】
2006074492.tif 000003
【図２】
2006074492.tif 000004
【図３】
2006074492.tif 000005
【図４】
2006074492.tif 000006
【図５】
2006074492.tif 000007
【図６】
2006074492.tif 000008
【図７】
2006074492.tif 000009
【図８】
2006074492.tif 000010
【図９】
2006074492.tif 000011
【図１０】
2006074492.tif 000012
【図１１】
2006074492.tif 000013
【図１２】
2006074492.tif 000014
【図１３】
2006074492.tif 000015
【図１４】
2006074492.tif 000016
【図１５】
2006074492.tif 000017